(57)【要約】【課題】  釘調整作業の非熟練者であっても的確な釘調整結果を期待できる釘調整目標値を容易に導き出し得るようにすること。【解決手段】  管理装置７は、同一機種のパチンコ遊技機１全体に係るスタート回数データと予め設定された目標スタート回数データとの差を、調整スタート回数として算出する機能、スタート回数データと目標稼動スタートデータとの差データの絶対値が設定値以上となったパチンコ遊技機１を釘調整候補台として抽出する機能、釘調整候補台に対して、予め設定された基準スタート回数を整数倍した個別調整値を設定する機能、各個別調整値を、前記差データが大きい釘調整候補台に対応したものから順に累算し、その累算値が前記調整変化量と一致した状態となるまでの釘調整候補台を釘調整対象台として抽出する機能、各釘調整対象台に設定されている個別調整値に基づいて当該釘調整対象台についての釘調整目標値として出力する機能を有する。【選択図】  図１
2005324000.tif 000002
【特許請求の範囲】
【請求項１】
パチンコ遊技機の盤面から突出された障害釘群のうち、パチンコ遊技機の収支に影響を及ぼす所定の２本の障害釘に係る釘間隔についての調整量、及び／または、パチンコ遊技機の収支に影響を及ぼす所定の障害釘に係る傾斜角についての調整量を示す釘調整目標値を出力する遊技場用管理システムであって、
パチンコ遊技機の稼動データのうち、そのパチンコ遊技機の収支変化に関係する特定稼動データを釘調整により変化させるときの最小単位を基準稼動データとして設定可能な第１の機能と、
前記基準稼動データに対応する前記調整量の最小単位を基準調整値として設定可能な第２の機能と、
遊技場内に設置された同一機種のパチンコ遊技機全体に係る特定稼動データと当該特定稼動データについて予め設定された目標稼動データとの差を同一機種のパチンコ遊技機全体で変化させるべき特定稼動データの大きさを示す調整変化量として算出する第３の機能と、
パチンコ遊技機毎の特定稼動データとパチンコ遊技機一台当たりの目標稼動データとの差データの絶対値が設定値以上となったパチンコ遊技機を釘調整候補台として抽出する第４の機能と、
抽出された釘調整候補台に対して、前記基準稼動データを整数倍した個別調整値を設定する第５の機能と、
各釘調整候補台に設定された個別調整値を、前記差データが大きい釘調整候補台に対応したものから順に累算し、その累算値が前記調整変化量と一致した状態となるまでの釘調整候補台を釘調整対象台として抽出する第６の機能と、
各釘調整対象台に設定されている個別調整値を前記基準稼動データにより除算した結果に対して前記基準調整値を乗算した結果を、当該釘調整対象台についての釘調整目標値として出力する第７の機能と、
を実現する制御手段を備えたことを特徴とする遊技場用管理システム。
【請求項２】
前記第３の機能は、遊技場内に設置された同一機種のパチンコ遊技機についての特定稼動データの平均値と当該特定稼動データについて予め設定されたパチンコ遊技機一台当たりの目標稼動データとの差に対して当該同一機種のパチンコ遊技機の台数を乗算することにより前記調整変化量を算出するものであることを特徴とする請求項１記載の遊技場用管理システム。
【請求項３】
前記第５の機能は、抽出された釘調整候補台についての前記差データの絶対値が大きい場合ほど、前記基準稼動データを整数倍するときの倍数を大きくするように構成されていることを特徴とする請求項１記載の遊技場用管理システム。
【請求項４】
前記２本の障害釘に係る釘間隔及び／または前記所定の障害釘に係る傾斜角を測定するための測定端末と、遊技場従業員が携帯する携帯端末とを備え、
前記制御手段は、前記第７の機能に基づいて出力された釘調整対象台についての釘調整目標値を前記携帯端末へ送信する第８の機能を実現するように構成され、
前記携帯端末は、前記測定端末による測定結果に対して前記制御手段から受信した前記釘調整目標値を加算し、その加算結果を報知するように構成されていることを特徴とする請求項１ないし３の何れかに記載の遊技場用管理システム。
【発明の詳細な説明】
【技術分野】
【０００１】
本発明は、パチンコ遊技機の釘調整の指針となるデータを出力するようにした遊技場用管理システムに関する。
【背景技術】
【０００２】
従来、例えば特許文献１に見られるように、パチンコ遊技機について、その入賞口への入賞玉数と入賞口に対応した障害釘の配置状態とを関連付けて管理することにより、釘調整が必要な障害釘を特定するようにした管理方法が知られている。また、特許文献２に見られるように、各パチンコ遊技機における釘間隔データと出玉データとを関係付けて管理すると共に、出玉データが許容範囲外となったパチンコ遊技機が発生した場合に釘調整必要信号を出力するようにした管理システムも知られている。これらの管理方法及び管理システムによれば、釘調整が必要な障害釘の特定や釘調整対象となるパチンコ遊技機の特定を容易に行うことができるので、遊技場の管理上において便利になる。
【特許文献１】特公平６−４１１０号公報
【特許文献２】特開平６−７１０３４号公報
【発明の開示】
【発明が解決しようとする課題】
【０００３】
従来の管理方法及び管理システムによれば、釘調整を行うべき障害釘やパチンコ遊技機を特定できるものの、釘調整時の実際の調整量、つまり釘調整目標値については、釘調整作業者自身がパチンコ遊技機の稼動データなどを勘案しながら判断しなければならない。しかしながら、このような判断には多くの経験が必要であるため、実際に釘調整作業を行う際には、十分な経験と技量を持ち合わせた熟練者（所謂釘師）に頼らざるを得ず、経験の浅い非熟練者にとって釘調整目標値をどのように決定すれば良いのか結局分からないという事情があった。
【０００４】
本発明は上記事情に鑑みてなされたものであり、その目的は、釘調整作業の非熟練者であっても的確な釘調整結果を期待できる釘調整目標値を容易に導き出し得るようになる遊技場用管理システムを提供することにある。
【課題を解決するための手段】
【０００５】
請求項１記載の発明は、上記目的を達成するために、パチンコ遊技機の盤面から突出された障害釘群のうち、パチンコ遊技機の収支に影響を及ぼす所定の２本の障害釘に係る釘間隔についての調整量、及び／または、パチンコ遊技機の収支に影響を及ぼす所定の障害釘に係る傾斜角についての調整量を示す釘調整目標値を出力する遊技場用管理システムを実現しようとするものであり、このようなシステムにおいて、
パチンコ遊技機の稼動データのうち、そのパチンコ遊技機の収支変化に関係する特定稼動データを釘調整により変化させるときの最小単位を基準稼動データとして設定可能な第１の機能と、
前記基準稼動データに対応する前記調整量の最小単位を基準調整値として設定可能な第２の機能と、
遊技場内に設置された同一機種のパチンコ遊技機全体に係る特定稼動データと当該特定稼動データについて予め設定された目標稼動データとの差を同一機種のパチンコ遊技機全体で変化させるべき特定稼動データの大きさを示す調整変化量として算出する第３の機能と、
パチンコ遊技機毎の特定稼動データとパチンコ遊技機一台当たりの目標稼動データとの差データの絶対値が設定値以上となったパチンコ遊技機を釘調整候補台として抽出する第４の機能と、
抽出された釘調整候補台に対して、前記基準稼動データを整数倍した個別調整値を設定する第５の機能と、
各釘調整候補台に設定された個別調整値を、前記差データが大きい釘調整候補台に対応したものから順に累算し、その累算値が前記調整変化量と一致した状態となるまでの釘調整候補台を釘調整対象台として抽出する第６の機能と、
各釘調整対象台に設定されている個別調整値を前記基準稼動データにより除算した結果に対して前記基準調整値を乗算した結果を、当該釘調整対象台についての釘調整目標値として出力する第７の機能と、
を実現する制御手段を備えた構成としたものである。
【０００６】
また、請求項２記載の発明のように、前記第３の機能は、遊技場内に設置された同一機種のパチンコ遊技機についての特定稼動データの平均値と当該特定稼動データについて予め設定されたパチンコ遊技機一台当たりの目標稼動データとの差に対して当該同一機種のパチンコ遊技機の台数を乗算することにより前記調整変化量を算出する形態のものであっても良い。
【０００７】
さらに、請求項３記載の発明のように、前記第５の機能は、抽出された釘調整候補台についての前記差データの絶対値が大きい場合ほど、前記基準稼動データを整数倍するときの倍数を大きくする形態のものであっても良い。
【０００８】
請求項４記載の発明のように、前記２本の障害釘に係る釘間隔及び／または前記所定の障害釘に係る傾斜角を測定するための測定端末と、遊技場従業員が携帯する携帯端末とを備えた上で、前記制御手段を、前記第７の機能に基づいて出力された釘調整対象台についての釘調整目標値を前記携帯端末へ送信する第８の機能を実現するように構成と共に、前記携帯端末を、前記測定端末による測定結果に対して前記制御手段から受信した前記釘調整目標値を加算し、その加算結果を報知する構成としても良い。
【発明の効果】
【０００９】
請求項１記載の発明によれば、作業者がパチンコ遊技機の釘調整を行なうためには、制御手段に設定された第１ないし第７の機能を働かせる。即ち、まず、第１の機能によって、パチンコ遊技機の収支変化に関係する特定稼動データを釘調整により変化させるときの最小単位を基準稼動データとして設定すると共に、第２の機能によって、前記基準稼動データに対応する調整量（パチンコ遊技機の収支に影響を及ぼす所定の２本の障害釘に係る釘間隔についての調整量、及び／または、パチンコ遊技機の収支に影響を及ぼす所定の障害釘に係る傾斜角についての調整量）の最小単位を基準調整値として設定する。
【００１０】
一方、第３の機能によって、遊技場内に設置された同一機種のパチンコ遊技機全体に係る特定稼動データと当該特定稼動データについて予め設定された目標稼動データとの差が、同一機種のパチンコ遊技機全体で変化させるべき特定稼動データの大きさを示す調整変化量として算出される。このように算出された調整変化量は、同一機種のパチンコ遊技機全体に係る特定稼動データについての釘調整前後における変化幅、つまり、同一機種のパチンコ遊技機全体で変化させるべき前記調整量の合計に相当することになる。
【００１１】
また、第４の機能によって、パチンコ遊技機毎の特定稼動データとパチンコ遊技機一台当たりの目標稼動データとの差データの絶対値が設定値以上となったパチンコ遊技機、つまり釘調整を行なうことが望ましいと考えられるパチンコ遊技機が釘調整候補台として抽出される。
【００１２】
さらに、第５の機能によって、抽出された釘調整候補台に対して、前記基準稼動データを整数倍した個別調整値が設定され、第６の機能によって、上記個別調整値が、パチンコ遊技機毎の特定稼動データとパチンコ遊技機一台当たりの目標稼動データとの差データが大きい釘調整候補台から順に累算され、その累算値が前記調整変化量と一致した状態となるまでの釘調整候補台が釘調整対象台として抽出される。つまり、釘調整対象台として抽出されたパチンコ遊技機についての個別調整値の合計が、前記第３の機能によって算出された調整変化量と一致した大きさになるものである。
【００１３】
そして、第７の機能によって、各釘調整対象台に設定されている個別調整値が前記第１の機能により設定された基準稼動データにより除算されると共に、その除算結果に対して、前記第２の機能により設定された基準調整値が乗算され、その乗算結果が、当該釘調整対象台についての釘調整目標値として出力される。この釘調整目標値に基づいてパチンコ遊技機の釘調整を行なった場合には、同一機種のパチンコ遊技機全体に係る特定稼動データの変化幅が、それら同一機種のパチンコ遊技機全体に係る特定稼動データと当該特定稼動データについて予め設定された目標稼動データとの差に相当した変化幅になる。
【００１４】
従って、基準稼動データ、基準調整値並びに目標稼動データを設定するだけのきわめて容易な作業を行うだけで、的確な釘調整結果を期待できる釘調整目標値を導き出し得ることになる。つまり、釘調整作業の非熟練者であっても有意義な釘調整作業を行うことが可能になる。
【００１５】
請求項４記載の発明によれば、遊技場従業員が携帯する携帯端末に対して、制御手段において算出された釘調整目標値が送信されるようになっており、当該携帯端末にあっては、その釘調整目標値を、測定端末による測定結果に対して加算した値を報知するようになる。従って、遊技場従業員が釘調整作業に先立って、測定端末により２本の障害釘に係る釘間隔及び／または前記所定の障害釘に係る傾斜角を測定すれば、その測定結果に対して釘調整目標値が加算された結果、つまり、実際に釘調整する際に目標となる２本の障害釘に係る釘間隔及び／または所定の障害釘に係る傾斜角が報知されることになるから、釘調整についてのデータ分析に対する経験が浅い遊技場従業員であっても、的確な釘調整作業が可能になる。
【発明を実施するための最良の形態】
【００１６】
以下、本発明の一実施例について図面を参照しながら説明する。
図１にはシステム全体の概略的構成が示されている。この図１において、遊技場内に設置されたパチンコ遊技機１の盤面２には、多数本の障害釘が突出状に設けられているが、この実施例では、説明の便宜上、周知のスタート入賞口３の入口に設けられた２本の障害釘４のみを図示している。このスタート入賞口３にパチンコ玉が入賞したときには、所定の抽選動作が行われると共に、盤面２に設置された図柄表示用ルーレット５（所謂メインデジタル）が動作開始される。そして、その抽選結果が大当たりであった場合には、ルーレット５が所定の当たり図柄で停止されると共に、盤面２に設置された図示しない大当たり入賞口が所定期間だけ開放されるものであり、これに応じて入賞率が極端に高められた大当たり状態を呈する構成となっている。従って、上記障害釘４は、パチンコ遊技機１の入賞率ひいては収支変化に大きく関係する所謂命釘となるものであり、盤面２には、この障害釘４以外にも多数組の命釘が存在する。
【００１７】
各パチンコ遊技機１の上方には、入出力インタフェースを内蔵した呼出ランプユニット６が設けられており、パチンコ遊技機１は、本発明でいう第１ないし第７の機能を実現するためのパチンコホール用管理装置７（制御手段に相当）との間でのデータ授受を、上記入出力インタフェースを通じて行う構成となっている。この場合、パチンコ遊技機１から管理装置７へ送信されるデータは、アウト玉数（打込パチンコ玉数）、セーフ玉数（賞球として放出されたパチンコ玉数）、スタート回数（ルーレット５の動作回数）、大当たり状態の発生を示す大当たり信号などである。尚、パチンコ遊技機１の隣には周知のＣＲカードユニット８が設置されており、このＣＲカードユニット８と管理装置７との間でのデータ授受も上記入出力インタフェースを通じて行なわれる構成となっている。
【００１８】
測定ユニット９（測定端末に相当）は、パチンコ遊技機１の釘調整を行うパチンコホール従業員（以下、釘調整作業者と呼ぶ）が携帯するものであり、例えば、特許第３０１０５４３号公報に見られる遊技機用釘間隔測定装置のように、２本の障害釘の内法寸法を測定する構成となっており、その測定結果（この実施例では、２本の障害釘４の釘間隔（内法寸法）を示す測定した結果）をデジタル値の測定値として出力できる構成となっている。
【００１９】
この測定ユニット９と信号線１０ａを介して接続された携帯端末１０は、当該測定ユニット９と共に釘調整作業者が携帯するものであり、測定ユニット９から出力される測定値を該当するパチンコ遊技機１の台番号データと共に記憶する構成となっている。尚、台番号データの記憶は、釘調整作業者の手入力（後述するテンキースイッチを使用した入力操作）で行うことができるが、この他の手段（例えば、パチンコ遊技機１に設けられた２次元コード、バーコード、ＩＣタグなどに記録された台番号データを読取手段で読み取る手段、パチンコ遊技機１との無線通信により台番号データを取得する手段など）を利用して記憶する構成も可能である。
【００２０】
上記携帯端末１０は、管理装置７との間で信号線１１（或いは無線通信手段）を介した通信動作を行う構成となっている。この場合、管理装置７は、各パチンコ遊技機１の釘調整時における釘間隔の調整指針となる釘調整目標値を、当該パチンコ遊技機１の台番号データと対応付けた釘調整指示値として携帯端末１０へ送信する構成となっている。
【００２１】
携帯端末１０は、上記のような釘調整指示値（台番号データ、釘調整目標値）を受信したときに、これを内部のメモリ部に記憶すると共に、その記憶内容を必要に応じて表示部１０ｂに表示する構成となっている。また、携帯端末１０は、測定ユニット９から入力した測定値と、管理装置７から入力した釘調整目標値とを比較し、その比較結果を釘調整作業者に報知する構成となっている。これにより、釘調整作業者は、釘調整の結果が釘調整目標値通りになっているか否かを容易に判断できるようになる。
【００２２】
さて、管理装置７は、パチンコ遊技機１の稼動データのうち、その収支変化に関係する特定稼動データであるスタート回数データに基づいて、前記釘調整目標値を算出する構成となっている。具体的には、管理装置７は、以下（１）〜（１０）のような設定及び処理に応じて、釘調整を施す必要があるパチンコ遊技機１（釘調整対象台）の抽出、並びに釘調整量を示す釘調整目標値を導き出す動作を行う構成となっている。
【００２３】
（１）スタート回数データを釘調整（２本の障害釘４の釘間隔の調整）により変化させるときの最小単位を基準スタート回数ＫＳ（本発明でいう基準稼動データに相当）として設定する（第１の機能に対応）。本実施例では、基準スタート回数ＫＳとして例えば「２」が設定される。
【００２４】
（２）基準スタート回数ＫＳに対応する釘調整量（釘間隔の調整量）の最小単位を基準釘調整量ΔＫ（本発明でいう基準調整値に相当）として設定する（第２の機能に対応）。この場合、基準スタート回数ＫＳと基準釘調整量ΔＫとの関係は、パチンコ遊技機業界において周知の事項であり、本実施例では、基準スタート回数ＫＳ（＝２）に対応した基準釘調整量ΔＫとして例えば「０．２５（ｍｍ）」が設定される。
【００２５】
（３）同一機種のパチンコ遊技機１についての平均スタート回数ＪＳを算出する処理を行う。この平均スタート回数ＪＳは、例えば、各パチンコ遊技機１の単位時間当たりのスタート回数Ｓ（例えばアウト玉１０００個当たりのスタート回数：本発明でいう特定稼動データに相当）の合計値を同一機種のパチンコ遊技機１の台数により除算することにより得られる。
この場合、管理装置７は、パチンコ遊技機１についての実稼動データを、同一機種のパチンコ遊技機１のグループ毎に区分して抽出する機能を備えており、図２には、その機種毎実稼動データを含む処理データファイル（トランザクションファイル）の一例が示されている。この図２の例では、同一機種のパチンコ遊技機１の台番号と対応付けた状態で集計されたデータ（以下、これを台データと呼ぶ）中のアウト玉数及び単位時間当たりのスタート回数Ｓが機種毎実稼動データとなる。
機種毎実稼動データが図２のような状態であった場合には、機種全体の平均スタート回数ＪＳは、
ＪＳ＝ΣＳ÷２０
＝１２２０÷２０
＝６１
となる。
【００２６】
（４）一台のパチンコ遊技機１についての目標スタート回数ＭＳ（本発明でいう目標稼動データに相当）を設定する。この目標スタート回数ＭＳは、例えば、同一機種のパチンコ遊技機１のグループに設定された粗利目標を得るために必要なスタート回数についてのシミュレーションを、当該パチンコ遊技機１に設定されている大当たり確率、大当たり出玉数などを利用して行うことにより決めることができる。本実施例では、例えばＭＳ＝６０に設定しており、この目標スタート回数ＭＳは、図２の処理データファイル中に書き込まれる。尚、このように目標スタート回数ＭＳが設定されたときには、各パチンコ遊技機１についての単位時間当たりのスタート回数Ｓ及び目標スタート回数ＭＳの差データΔＳ（＝Ｓ−ＭＳ）が計算されて上記処理データファイル中に書き込まれる（図２参照）。
【００２７】
（５）同一機種のパチンコ遊技機１全体の調整スタート回数ＴＳ（本発明でいう調整変化量に相当）を算出する処理を行う（第３の機能に対応）。この調整スタート回数ＴＳは、同一機種のパチンコ遊技機１全体に係るスタート回数データ（同一機種の各パチンコ遊技機１の単位時間当たりのスタート回数Ｓの合計）と、当該パチンコ遊技機１全体の目標稼動データ（前記目標スタート回数ＭＳ×同一機種のパチンコ遊技機１の台数）との差に相当するものであり、実際には、同一機種のパチンコ遊技機１全体に係るスタート回数データの平均値（平均スタート回数ＪＳ）と一台のパチンコ遊技機についての目標スタート回数ＭＳの差に対して、当該同一機種のパチンコ遊技機１の台数を乗算することにより算出される。即ち、
ＴＳ＝（ＭＳ−ＪＳ）×２０
で得られる。従って、本実施例の場合には、
ＴＳ＝（６０−６１）×２０
＝−２０となる。
この調整スタート回数ＴＳは、同一機種のパチンコ遊技機１の全体で変化させるべきスタート回数データの大きさを示すものであり、本実施例のようにＴＳ＝−２０となる状態は、同一機種のパチンコ遊技機１のそれぞれの平均スタート回数ＪＳの合計を「２０」だけ下げる必要があることを意味している。
【００２８】
（６）各パチンコ遊技機１に係る台データ（図２参照）を、単位時間当たりのスタート回数Ｓ及び目標スタート回数ＭＳの差データΔＳが小さい順にソートする（差データΔＳが同一の台データは台番号が優先）。尚、図３には、台データをソートした後の処理データファイルの一例が示されている。但し、この図３の処理データファイル中の各台データには、後述のように付加されるデータも含まれている。
【００２９】
（７）前記差データΔＳの絶対値が設定値である例えば「２」以上となったパチンコ遊技機１を第１候補台（本発明でいう釘調整候補台に相当）として抽出する（第４の機能に対応）。尚、図３では、第１候補台として抽出されたパチンコ遊技機１の台番号に対して網掛けを施した。
【００３０】
（８）抽出された第１候補台に対して個別調整値ＰＳを設定する（第５の機能に対応）。この個別調整値ＰＳは、前記基準スタート回数ＫＳ（＝２）の整数倍に設定されるものであり、例えば、
差データΔＳ＝「−２」または「−３」の場合は「−１」倍、
差データΔＳ＝「−４」の場合は「−２」倍、
差データΔＳ＝「２」または「３」の場合は「１」倍、
差データΔＳ＝「４」の場合は「２」倍、
というように、差データΔＳの絶対値が大きい場合ほど大きな倍数に設定される。
従って、図３の例では、第１候補台のうち台番号「３」のパチンコ遊技機１については、差データΔＳが「−４」であるから、個別調整値ＰＳは基準スタート回数ＫＳのマイナス２倍の「−４」に設定される。また、第１候補台のうち台番号「２」、「１５」、「１３」、「１」、「６」、「１８」、「２１」、「２３」の各パチンコ遊技機１については、差データΔＳが「−３」または「−２」であるから、個別調整値ＰＳは基準スタート回数ＫＳのマイナス１倍の「−２」に設定され、第１候補台のうち台番号「１１」、「２０」の各パチンコ遊技機１については、差データΔＳが「２」であるから、個別調整値ＰＳは基準スタート回数ＫＳのプラス１倍の「２」に設定されることになる。
【００３１】
（９）第１候補台に設定された個別調整値ＰＳを、差データΔＳが大きい第１候補台に対応したものから順に累算し、その累算値が前記調整スタート回数ＴＳと一致した状態となるまでの第１候補台を釘調整対象台として抽出する（第６の機能）。この場合、本実施例では、第１候補台についての個別調整値ＰＳの累算値が、図３に示すように「−１６」であって、調整スタート回数ＴＳ（＝−２０）に満たないから、第１候補台の全部が釘調整対象台として抽出されることになる。また、この例のように、個別調整値ＰＳの累算値が調整スタート回数ＴＳに満たない場合には、前記差データΔＳの絶対値が設定値である「１」以上のパチンコ遊技機１を第２候補台（本発明でいう釘調整候補台に相当）として抽出し、抽出した第２候補台の台データをアウト玉数データが大きい順にソートする（アウト玉数データが同一の台データは台番号が優先）。尚、図４には、このようなソートを行なった後の第２候補台に係る処理データファイルの一例が示されている。
このように抽出した第２候補台に対しても個別調整値ＰＳを設定するものであり、その設定は、前記（８）項で述べた第１候補台に対する場合と同様に行なわれる。次いで、第２候補台に設定された個別調整値ＰＳを、差データΔＳが大きい第２候補台に対応したものから順に累算し、その累算結果と前記第１候補台についての個別調整値ＰＳとの合計値が調整スタート回数ＴＳ（＝−２０）になるまでの第２候補台を、釘調整対象台として抽出する。尚、本実施例では、差データΔＳの絶対値についての設定値が「２」、「１」の２段階しかない場合を説明しているので、第２候補台までが釘調整対象台となるものであるが、当該設定値が３段階以上に設定されている場合には、上述のような釘調整対象台の抽出動作が、個別調整値ＰＳの累算値が調整スタート回数ＴＳと一致した状態となるまで反復されることになる。
【００３２】
（１０）抽出された釘調整対象台に設定されている個別調整値ＰＳを前記基準スタート回数ＫＳ（＝２）により除算した結果に対して前記基準釘調整量ΔＫ（＝０．２５ｍｍ）を乗算した結果を、当該釘調整対象台の釘調整目標値として出力する（第７の機能に対応）。尚、図３及び図４の処理データファイル中の各台データには、釘調整対象台についての個別調整値ＰＳ及び釘調整目標値が付加される。この場合、マイナス符号がついた釘調整目標値は、スタート入賞口３に対応した２本の障害釘４の釘間隔を狭める方向に調整することを示し、マイナス符号がない釘調整目標値は当該釘間隔を広げる方向に調整することを示す。
【００３３】
管理装置７は、上記（１）〜（１０）のような設定及び処理によって釘調整対象台及び釘調整目標値を算出した後には、その算出結果に基づいて、図５のような釘調整方法一覧データを作成する。この一覧データは、同一機種のパチンコ遊技機１の全台についての台番号、アウト玉数、単位時間当たりのスタート回数Ｓ、目標スタート回数ＭＳ、差データΔＳ、釘調整目標値、調整方法（上向矢印が釘間隔を広げる方向に調整、下向き矢印が釘間隔を狭める方向の調整を意味する）、個別調整値ＰＳの組み合わせデータを台番号順に並べた形態となっている。尚、釘調整対象台以外のパチンコ遊技機１についてのデータ中には、当然のことながら釘調整目標値、調整方法、個別調整値ＰＳの各データは存在しないことになる。
【００３４】
そして、管理装置７は、上記釘調整方法一覧データ中の所定データ（台番号データ、釘調整目標値）の組み合わせから成る釘調整指示値を携帯端末１０へ送信する。尚、この釘調整指示値に対して、釘調整後の許容範囲（釘調整目標値と測定ユニット９による実際の測定値との誤差の許容範囲）を示すデータを含ませる構成としても良い。この場合、携帯端末１０は、前述したように、管理装置７から上記釘調整指示値（台番号データ、釘調整目標値）を受信したときに、これを内部のメモリ部に記憶すると共に、その記憶内容を必要に応じて表示部１０ｂに表示する構成となっており、釘調整作業者は、携帯端末１０の表示部１０ｂに表示されたデータに基づいて釘調整作業を行うことになる。
【００３５】
尚、上述のように、携帯端末１０においては、管理装置７から釘調整指示値を受信した場合に、その釘調整指示値を単純に内部のメモリ部に記憶すると共に、その記憶内容を必要に応じて表示部１０ｂに表示する構成としたが、以下に述べるような構成であっても良い。
【００３６】
即ち、携帯端末１０は、釘調整作業前における測定ユニット９による測定結果（２本の障害釘４の釘間隔）に対して管理装置７から受信した釘調整指示値中の釘調整目標値を加算し、その加算結果を、「目標釘間隔」として表示部１０ｂを通じて報知する構成であっても良い。
【００３７】
図６には、このような構成が採用された場合における釘調整作業の流れが示されている。この図６において、管理装置７側では、釘調整目標値を算出し（ステップＳ１）、その釘調整目標値を携帯端末１０へ送信する（ステップＳ２）。尚、実際には、上記釘調整目標値は、前述したように、台番号データと組み合わされた釘調整指示値として送信されるものである。
【００３８】
一方、釘調整作業者側では、釘調整作業前に測定ユニット９により障害釘４の釘間隔を測定する（ステップＳ３）。次いで、当該釘調整前の測定値に対して、受信した釘調整目標値を加算し、その加算結果を目標釘間隔として表示部１０ｂに表示する（ステップＳ４）。例えば、釘調整前の測定値が１１．３５ｍｍ、釘調整目標値が０．２５ｍｍであった場合には、目標釘間隔は１１．６０ｍｍとなる。そして、釘調整作業者側では、障害釘４の釘間隔を測定ユニット９により測定しながら、当該障害釘４に係る釘調整作業を行うものであり、その測定値が表示部１０ｂに表示されている釘調整目標値と一致するまで釘調整作業を行う（ステップＳ５）。
【００３９】
以上要するに、作業者がパチンコ遊技機の釘調整を行なうに当たっては、スタート回数データを釘調整により変化させるときの最小単位である基準スタート回数ＫＳ、並びに当該基準スタート回数ＫＳに対応する釘調整量（釘間隔の調整量）の最小単位である基準釘調整量ΔＫを設定すると共に、一台のパチンコ遊技機１についての目標スタート回数ＭＳを設定するものである。
【００４０】
すると、目標スタート回数ＭＳの設定に応じて、遊技場内に設置された同一機種のパチンコ遊技機１全体に係るスタート回数データと、当該パチンコ遊技機１全体の目標稼動データ（前記目標スタート回数ＭＳ×同一機種のパチンコ遊技機１の台数）との差が、同一機種のパチンコ遊技機１全体で変化させるべきスタート回数データの大きさを示す調整スタート回数ＴＳとして算出されると共に、単位時間当たりのスタート回数Ｓと目標スタート回数ＭＳとの差データΔＳの絶対値が設定値以上となったパチンコ遊技機１、つまり釘調整を行なうことが望ましいと考えられるパチンコ遊技機１が釘調整候補台として抽出されるようになる。
【００４１】
さらに、抽出された釘調整候補台に対して、前記基準スタート回数ＫＳを整数倍した個別調整値ＰＳが設定されると共に、当該個別調整値ＰＳが、前記差データΔＳが大きい釘調整候補台から順に累算され、その累算値が前記調整スタート回数ＴＳと一致した状態となるまでの釘調整候補台が釘調整対象台として抽出される。つまり、釘調整対象台として抽出されたパチンコ遊技機１についての個別調整値ＰＳの合計が、同一機種のパチンコ遊技機１全体で変化させるべきスタート回数データの大きさを示す調整スタート回数ＴＳと一致した状態になるものである。
【００４２】
そして、このように抽出された各釘調整対象台に設定されている個別調整値ＰＳが前記基準スタート回数ＫＳにより除算されると共に、その除算結果に対して、前記基準釘調整量ΔＫが乗算され、その乗算結果が、当該釘調整対象台についての釘調整目標値として出力されることになる。このように出力される釘調整目標値に基づいてパチンコ遊技機１の釘調整を行なった場合には、同一機種のパチンコ遊技機１全体に係るスタート回数データの変化幅が、それら同一機種のパチンコ遊技機１全体に係るスタート回数データと当該スタート回数データについて予め設定された目標スタート回数ＭＳとの差に相当した変化幅になる。
【００４３】
従って、基準スタート回数ＫＳ、基準釘調整量ΔＫ並びに目標スタート回数ＭＳを設定するだけのきわめて容易な作業を行うだけで、的確な釘調整結果を期待できる釘調整目標値を導き出し得ることになる。つまり、釘調整作業の非熟練者であっても有意義な釘調整作業を行うことが可能になる。また、本実施例においては、各釘調整対象台についての個別調整値ＰＳを設定するために基準スタート回数ＫＳを整数倍するときの倍数が、当該釘調整対象台についての差データΔＳの絶対値が大きい場合ほど大きくなる構成となっている。従って、実際のスタート回数データが目標スタート回数ＭＳと大きく異なるパチンコ遊技機１ほど釘調整目標値が大きくなるものであり、この結果、釘調整作業後における各パチンコ遊技機１のスタート回数データの平均化を図り得るようになる。
【００４４】
また、上記実施例によれば、実際に釘調整する際に目標となる２本の障害釘４に係る釘間隔が、携帯端末１０の表示部１０ｂを通じて報知されることになるから、釘調整についてのデータ分析に対する経験が浅い釘調整作業者であっても、的確な釘調整作業が可能になる。
【００４５】
尚、本発明は上記し且つ図面に示した実施例に限定されるものではなく、例えば以下に述べるような変形或いは拡大が可能である。
【００４６】
個別調整値ＰＳを設定するために基準スタート回数ＫＳを整数倍するときの倍数を、差データΔＳの絶対値が大きい場合ほど大きくなる構成としたが、常に同一の倍数（例えば１倍）であっても良い。同一機種のパチンコ遊技機１全体の調整スタート回数ＴＳを算出するに当たって、同一機種のパチンコ遊技機１全体に係る平均スタート回数ＪＳと一台のパチンコ遊技機についての目標スタート回数ＭＳの差に対して、当該同一機種のパチンコ遊技機１の台数を乗算する処理を行う構成としたが、例えば、同一機種の各パチンコ遊技機１の単位時間当たりのスタート回数Ｓの合計から、目標スタート回数ＭＳと同一機種のパチンコ遊技機１の台数とを乗算した結果を差し引くという処理により調整スタート回数ＴＳを算出する構成としても良いなど、種々の処理形態が考えられる。
【００４７】
特定稼動データの例として、スタート回数データを例に挙げたが、他の稼動データ（例えばセーフ玉数、スタート入賞玉数など）を特定稼動データとして利用することも可能である。また、釘調整目標値として、釘間隔の調整量を示すデータを出力する構成としたが、障害釘４の盤面２に対する傾斜角の調整量を示すデータを釘調整目標値として出力する構成としても良い。但し、この場合には、測定ユニット９を、障害釘の盤面２に対する傾斜角も測定できる構成とする必要がある。
測定ユニット９と携帯端末１０とを一体化する構成も可能である。
【図面の簡単な説明】
【００４８】
【図１】本発明の一実施例を示すシステム全体の概略的構成図
【図２】処理データファイルの一例を示す図その１
【図３】処理データファイルの一例を示す図その２
【図４】処理データファイルの一例を示す図その３
【図５】釘調整方法一覧データの一例を示す図
【図６】釘調整作業の流れを説明するためのフローチャート
【符号の説明】
【００４９】
１はパチンコ遊技機、２は盤面、３はスタート入賞口、４は障害釘、７は管理装置（制御手段）、９は測定ユニット（測定端末）、１０は携帯端末を示す。
【図１】
2005324000.tif 000003
【図２】
2005324000.tif 000004
【図３】
2005324000.tif 000005
【図４】
2005324000.tif 000006
【図５】
2005324000.tif 000007
【図６】
2005324000.tif 000008